(57)【要約】      （修正有）【課題】給牌効率を向上させるスクレーパー回転式麻雀卓を提供する。【解決手段】洗牌テーブル１０と、洗牌テーブルに回転可能に接続されたスクレーパー２１とを少なくとも含み、洗牌テーブルには洗牌テーブルを回転駆動するためのテーブル駆動装置が配置され、スクレーパーにはスクレーパーを洗牌テーブルに対して独立して回転駆動するための牌掻き集め駆動装置が配置され、又は洗牌テーブルとスクレーパーとの間に伝動機構が設けられる。スクレーパーが回転可能に設けられることによって、洗牌開始段階では、麻雀牌が洗牌テーブルの上面に落ちた後、スクレーパーのアームを制御して洗牌テーブルと同方向に回転させ、麻雀牌の一部が洗牌テーブルに連動して回転し、それによって、麻雀牌の山における麻雀牌の一部の給牌口へのスライド速度が遅くなり、この一部だけが給牌口へ移動し、給牌口での大量の麻雀牌の蓄積を回避する。【選択図】図２
0003235014.tif 000002
【実用新案登録請求の範囲】
【請求項１】
スクレーパー回転式麻雀卓であって、
洗牌テーブルと、前記洗牌テーブルに回転可能に接続されたスクレーパーとを少なくとも含み、前記洗牌テーブルには前記洗牌テーブルを回転駆動するためのテーブル駆動装置が配置され、前記スクレーパーには前記スクレーパーを洗牌テーブルに対して独立して回転駆動するための牌掻き集め駆動装置が配置され、又は前記洗牌テーブルとスクレーパーとの間に伝動機構が設けられる、ことを特徴とするスクレーパー回転式麻雀卓。
【請求項２】
前記テーブル駆動装置は少なくとも１つのテーブル駆動モータと、前記テーブル駆動モータによって駆動される第１の駆動歯車と、前記洗牌テーブルに設けられる第２の駆動歯車／ギアリングとを含み、前記第１の駆動歯車と第２の駆動歯車／ギアリングが噛み合う、ことを特徴とする請求項１に記載のスクレーパー回転式麻雀卓。
【請求項３】
前記牌掻き集め駆動装置は、牌掻き集め駆動モータと、前記牌掻き集め駆動モータによって駆動される第３の駆動歯車と、スクレーパーに設けられた第４の駆動歯車／ギアリングとを少なくとも含み、前記第３の駆動歯車と第４の駆動歯車／ギアリングが噛み合う、ことを特徴とする請求項１に記載のスクレーパー回転式麻雀卓。
【請求項４】
第５の駆動歯車をさらに含み、前記第５の駆動歯車は前記第３の駆動歯車と同軸で設けられ、前記第５の駆動歯車は第２の駆動歯車／ギアリングと噛み合い、前記第５の駆動歯車は一方向軸受けを介して駆動軸に接続される、ことを特徴とする請求項３に記載のスクレーパー回転式麻雀卓。
【請求項５】
スクレーパーに対向して設けられる固定ベースをさらに含み、前記スクレーパーと固定ベースとの間に分離制限ブロックが設けられ、前記分離制限ブロックは第１の状態と第２の状態を少なくとも含み、前記第１の状態では、前記スクレーパーが固定ベースに対して固定され、前記第２の状態では、前記牌掻き集め駆動装置が前記スクレーパーを固定ベースに対して回転駆動可能であり、前記スクレーパーの回転数が洗牌テーブルの回転数より低く構成されている、ことを特徴とする請求項１に記載のスクレーパー回転式麻雀卓。
【請求項６】
前記スクレーパーは、可動ベースと可動ベースに周設された複数のアームとを少なくとも含み、前記分離制限ブロックは前記可動ベースと固定ベースとの間に設けられ、前記可動ベースと分離制限ブロックとの間に弾性部材が設けられる、ことを特徴とする請求項５に記載のスクレーパー回転式麻雀卓。
【請求項７】
前記可動ベースの内部に、前記分離制限ブロックが軸方向に運動する運動空間が設けられ、前記分離制限ブロックと可動ベースの内壁との間に軸方向案内機構が設けられる、ことを特徴とする請求項６に記載のスクレーパー回転式麻雀卓。
【請求項８】
前記分離制限ブロックと固定ベースとの間に制限機構が設けられ、前記制限機構は、前記分離制限ブロックを前記第１の状態で固定ベースに対して周方向に固定されるとともに軸方向に移動可能とするように構成されている、ことを特徴とする請求項６又は７に記載のスクレーパー回転式麻雀卓。
【請求項９】
前記制限機構は、分離制限ブロックのうち固定ベースに面する側に設けられた少なくとも１つの制限突起と、固定ベースのうち前記制限突起と嵌合する制限孔とを含む、ことを特徴とする請求項８に記載のスクレーパー回転式麻雀卓。
【請求項１０】
前記制限孔は前記固定ベースを軸方向に貫通している、ことを特徴とする請求項９に記載のスクレーパー回転式麻雀卓。
【請求項１１】
前記制限孔の一方の側には、制限突起の下端が位置する最低位置から固定ベースの上面まで延在している軌跡溝が設けられ、前記軌跡溝の円弧形軌跡が前記制限突起と嵌合し、前記制限突起が軌跡溝の底部から軌跡溝を滑りだすときに、前記スクレーパーの回転方向が洗牌テーブルの回転方向と逆になる、ことを特徴とする請求項９に記載のスクレーパー回転式麻雀卓。
【請求項１２】
前記伝動機構は、第１の伝動ギアリングと、第２の伝動ギアリングと、第１の伝動歯車と、第２の伝動歯車とを少なくとも含み、前記第１の伝動歯車と第２の伝動歯車は同軸で設けられ、前記第１の伝動ギアリングは洗牌テーブルに固定して設けられ、第１の伝動歯車と噛み合い、前記第２の伝動ギアリングは分離制限ブロック又は可動ベースに設けられ、第２の伝動歯車と噛み合う、ことを特徴とする請求項１に記載のスクレーパー回転式麻雀卓。
【請求項１３】
前記第２の伝動ギアリングには少なくとも１箇所の退避部が設けられ、前記分離制限ブロックが第１の状態である場合、前記第２の伝動歯車が退避部で前記第２の伝動ギアリングと噛み合いを解除するように構成されている、ことを特徴とする請求項１２に記載のスクレーパー回転式麻雀卓。
【請求項１４】
前記第２の伝動ギアリングは分離制限ブロックに設けられ、前記分離制限ブロックが第１の状態である場合、前記第２の伝動ギアリングと第２の伝動歯車は高低差を有し、噛み合いを解除し、前記分離制限ブロックが第２の状態である場合、前記第２の伝動ギアリングと第２の伝動歯車は噛み合う、ことを特徴とする請求項１２に記載のスクレーパー回転式麻雀卓。
【請求項１５】
前記洗牌テーブルにはインナーギアリングが設けられ、前記テーブル駆動装置は前記インナーギアリングと噛み合う少なくとも１つの第１の駆動歯車と、前記第１の駆動歯車を回転駆動するテーブル駆動モータとを含み、前記伝動機構は前記インナーギアリングと噛み合う第３の伝動歯車を少なくとも含む、ことを特徴とする請求項１に記載のスクレーパー回転式麻雀卓。
【請求項１６】
前記スクレーパーは、可動ベースと、前記可動ベースの外周に配置される複数のアームと、前記可動ベースの内側に設けられるスリーブとを含み、前記スリーブの内壁に軸方向に延伸する係合溝又は止め段差が設けられる、ことを特徴とする請求項１５に記載のスクレーパー回転式麻雀卓。
【請求項１７】
前記可動ベースの内壁に第３の伝動ギアリングが設けられ、前記伝動機構は、前記第３の伝動歯車と同軸で同期運動する第４の伝動歯車をさらに含み、前記第４の伝動歯車は前記第３の伝動ギアリングと噛み合い、前記第３の伝動ギアリングに退避部が設けられる、ことを特徴とする請求項１６に記載のスクレーパー回転式麻雀卓。
【請求項１８】
制限構造をさらに含み、前記制限構造は、前記係合溝又は止め段差と嵌合する制限ブロック及び圧縮ばねを少なくとも含み、前記制限ブロックは、前記スリーブの内側に位置し、前記スリーブに対して径方向に移動可能であり、前記圧縮ばねは径方向に移動するように前記制限ブロックを付勢する弾性ポテンシャルを有する、ことを特徴とする請求項１５〜１７のいずれか１項に記載のスクレーパー回転式麻雀卓。
【請求項１９】
サイコロトレイ中心昇降機構をさらに含み、前記サイコロトレイ中心昇降機構には、前記制限ブロックを駆動して前記弾性ポテンシャルと逆の方向に沿って径方向に移動させる駆動部が設けられる、ことを特徴とする請求項１８に記載のスクレーパー回転式麻雀卓。
【請求項２０】
前記制限構造は、制限ベースと、前記制限ベースにスライド可能に接続されるスライダとをさらに含み、前記制限ブロックは前記スライダに設けられ、前記スライダと前記制限ベースとの間に案内機構が設けられる、ことを特徴とする請求項１９に記載のスクレーパー回転式麻雀卓。
【請求項２１】
前記案内機構は互いに適合するガイドレールとガイドスロットを含み、前記ガイドレールとガイドスロットはそれぞれ前記スライダと制限ベースに設けられる、ことを特徴とする請求項２０に記載のスクレーパー回転式麻雀卓。
【請求項２２】
前記サイコロトレイ中心昇降機構は、固定して設けられる昇降ベースと、前記昇降ベースに縦方向に可動接続される中心昇降棒と、中心昇降棒の下端に設けられる中心昇降ベースとを少なくとも含み、前記圧縮ばねは前記スライダと昇降ベースとの間に位置し、前記スライダの底部のうち制限ブロックから離れた一端に下へ延伸しているガイド部が設けられ、前記中心昇降ベースには前記ガイド部と連携する牽引部が設けられる、ことを特徴とする請求項２０に記載のスクレーパー回転式麻雀卓。
【考案の詳細な説明】
【技術分野】
【０００１】
本考案は麻雀卓の技術分野に関し、具体的には、スクレーパー回転式麻雀卓に関する。
【背景技術】
【０００２】
従来技術における麻雀卓では、牌掻き集め機構が固定して設けられるのが一般的であり、洗牌時に洗牌テーブルが回転し、牌掻き集め機構のアームが洗牌テーブル上の麻雀牌に対して阻止や案内を行い、それにより、洗牌テーブル上の麻雀牌の給牌口への移動を促進する。
【０００３】
従来技術における固定式牌掻き集め機構による欠陥は以下のとおりである。
（１）洗牌開始時に、全ての麻雀牌が洗牌テーブルの上面に一括して落ちて積み上げられるので、静止アームが麻雀牌の山に対して大きな抵抗となり、その結果、洗牌テーブルの運動抵抗が非常に大きくなり、洗牌テーブルを駆動するために大トルクのモータが必要とされ、麻雀卓のコストが高くなり、また、麻雀牌が蓄積して混みあったときに、大トルクのモータが連動する歯車機構を損壊しやすい。
（２）麻雀牌の山がアームに対して大きな抵抗力を与えるため、アームが変形しやすくなり、アームの材質の性能への要件が厳しくなり、アームの変形が経時的に大きくなり、故障を引き起こし、その結果、麻雀牌が牌給送口に到達できず、故障が生じる。
（３）固定アームによる阻止や案内のため、麻雀牌の山が給牌口へ素早くスライドして、給牌口で積み上げられ、給牌口ごとに１回あたり１つの麻雀牌を吸引できないため、麻雀牌が給牌口に蓄積することにより麻雀牌同士の作用力が大きくなり、給牌機構の磁気吸引力の不足のため麻雀牌が壁牌から離れて、給牌機構のアイドル作動が発生し、それによって、給牌効率の低下を招く。
（４）洗牌テーブルの回転中、麻雀牌の山による大きな抵抗力によりアームの自由端が変形し、変形したアームの自由端が壁牌を通過した後に迅速に回復する過程において大きな騒音を発生させ、さらに、アームが固定されているが、洗牌テーブルが回転するので、麻雀牌とアームとの間で衝突による騒音が生じる。
【考案の概要】
【考案が解決しようとする課題】
【０００４】
本考案が解決しようとする技術的課題は、麻雀卓ではスクレーパーが固定式構造であることに起因する従来技術における技術的欠陥を解决することである。
【課題を解決するための手段】
【０００５】
上記技術的課題を解決するために、本考案による技術案は以下のとおりである。スクレーパー回転式麻雀卓であって、
【０００６】
洗牌テーブルと、前記洗牌テーブルに回転可能に接続されたスクレーパーとを少なくとも含み、前記洗牌テーブルには前記洗牌テーブルを回転駆動するためのテーブル駆動装置が配置され、前記スクレーパーには前記スクレーパーを洗牌テーブルに対して独立して回転駆動するための牌掻き集め駆動装置が配置され、又は前記洗牌テーブルとスクレーパーとの間に伝動機構が設けられる。
【０００７】
好ましい一実施例では、前記テーブル駆動装置は少なくとも１つのテーブル駆動モータと、前記テーブル駆動モータによって駆動される第１の駆動歯車と、前記洗牌テーブルに設けられる第２の駆動歯車／ギアリングとを含み、前記第１の駆動歯車と第２の駆動歯車／ギアリングが噛み合う。
【０００８】
好ましい一実施例では、前記牌掻き集め駆動装置は牌掻き集め駆動モータと、前記牌掻き集め駆動モータによって駆動される第３の駆動歯車と、スクレーパーに設けられた第４の駆動歯車／ギアリングとを少なくとも含み、前記第３の駆動歯車と第４の駆動歯車／ギアリングが噛み合う。
【０００９】
好ましい一実施例では、第５の駆動歯車をさらに含み、前記第５の駆動歯車は前記第３の駆動歯車と同軸で設けられ、前記第５の駆動歯車は第２の駆動歯車／ギアリングと噛み合い、前記第５の駆動歯車は一方向軸受けを介して駆動軸に接続される。
【００１０】
好ましい一実施例では、スクレーパーに対向して設けられる固定ベースをさらに含み、前記スクレーパーと固定ベースとの間に分離制限ブロックが設けられ、前記分離制限ブロックは第１の状態と第２の状態を少なくとも含み、前記第１の状態では、前記スクレーパーが固定ベースに対して固定され、前記第２の状態では、前記牌掻き集め駆動装置が前記スクレーパーを固定ベースに対して回転駆動可能であり、前記スクレーパーの回転数が洗牌テーブルの回転数より低く構成されている。
【００１１】
好ましい一実施例では、前記スクレーパーは、可動ベースと可動ベースに周設された複数のアームとを少なくとも含み、前記分離制限ブロックは前記可動ベースと固定ベースとの間に設けられ、前記可動ベースと分離制限ブロックとの間に弾性部材が設けられる。
【００１２】
好ましい一実施例では、前記可動ベースの内部に、前記分離制限ブロックが軸方向に運動する運動空間が設けられ、前記分離制限ブロックと可動ベースの内壁との間に軸方向案内機構が設けられる。
【００１３】
好ましい一実施例では、前記分離制限ブロックと固定ベースとの間に制限機構が設けられ、前記制限機構は、前記分離制限ブロックを前記第１の状態で固定ベースに対して周方向に固定されるとともに軸方向に移動可能とするように構成されている。
【００１４】
好ましい一実施例では、前記制限機構は、分離制限ブロックのうち固定ベースに面する側に設けられた少なくとも１つの制限突起と、固定ベースのうち前記制限突起と嵌合する制限孔とを含む。
好ましい一実施例では、前記制限孔は前記固定ベースを軸方向に貫通している。
【００１５】
好ましい一実施例では、前記制限孔の一方の側には、制限突起の下端が位置する最低位置から固定ベースの上面まで延在している軌跡溝が設けられ、前記軌跡溝の円弧形軌跡が前記制限突起と嵌合し、前記制限突起が軌跡溝の底部から軌跡溝を滑りだすときに、前記スクレーパーの回転方向が洗牌テーブルの回転方向と逆になる。
【００１６】
好ましい一実施例では、前記伝動機構は、第１の伝動ギアリングと、第２の伝動ギアリングと、第１の伝動歯車と、第２の伝動歯車とを少なくとも含み、前記第１の伝動歯車と第２の伝動歯車は同軸で設けられ、前記第１の伝動ギアリングは洗牌テーブルに固定して設けられ、第１の伝動歯車と噛み合い、前記第２の伝動ギアリングは分離制限ブロック又は可動ベースに設けられ、第２の伝動歯車と噛み合う。
【００１７】
好ましい一実施例では、前記第２の伝動ギアリングには少なくとも１箇所の退避部が設けられ、前記分離制限ブロックが第１の状態である場合、前記第２の伝動歯車が退避部で前記第２の伝動ギアリングと噛み合いを解除するように構成されている。
【００１８】
好ましい一実施例では、前記第２の伝動ギアリングは分離制限ブロックに設けられ、前記分離制限ブロックが第１の状態である場合、前記第２の伝動ギアリングと第２の伝動歯車は高低差を有し、噛み合いを解除し、前記分離制限ブロックが第２の状態である場合、前記第２の伝動ギアリングと第２の伝動歯車は噛み合う。
【００１９】
好ましい一実施例では、前記洗牌テーブルにはインナーギアリングが設けられ、前記テーブル駆動装置は前記インナーギアリングと噛み合う少なくとも１つの第１の駆動歯車と、前記第１の駆動歯車を回転駆動するテーブル駆動モータとを含み、前記伝動機構は前記インナーギアリングと噛み合う第３の伝動歯車を少なくとも含む。
【００２０】
好ましい一実施例では、前記スクレーパーは、可動ベースと、前記可動ベースの外周に配置される複数のアームと、前記可動ベースの内側に設けられるスリーブとを含み、前記スリーブの内壁に軸方向に延伸する係合溝又は止め段差が設けられる。
【００２１】
好ましい一実施例では、前記可動ベースの内壁に第３の伝動ギアリングが設けられ、前記伝動機構は、前記第３の伝動歯車と同軸で同期運動する第４の伝動歯車をさらに含み、前記第４の伝動歯車は前記第３の伝動ギアリングと噛み合い、前記第３の伝動ギアリングに退避部が設けられる。
【００２２】
好ましい一実施例では、制限構造をさらに含み、前記制限構造は、前記係合溝又は止め段差と嵌合する制限ブロック及び圧縮ばねを少なくとも含み、前記制限ブロックは、前記スリーブの内側に位置し、前記スリーブに対して径方向に移動可能であり、前記圧縮ばねは径方向に移動するように前記制限ブロックを付勢する弾性ポテンシャルを有する。
【００２３】
好ましい一実施例では、サイコロトレイ中心昇降機構をさらに含み、前記サイコロトレイ中心昇降機構には、前記制限ブロックを駆動して前記弾性ポテンシャルと逆の方向に沿って径方向に移動させる駆動部が設けられる。
【００２４】
好ましい一実施例では、前記制限構造は、制限ベースと、前記制限ベースにスライド可能に接続されるスライダとをさらに含み、前記制限ブロックは前記スライダに設けられ、前記スライダと前記制限ベースとの間に案内機構が設けられる。
【００２５】
好ましい一実施例では、前記案内機構は互いに適合するガイドレールとガイドスロットを含み、前記ガイドレールとガイドスロットはそれぞれ前記スライダと制限ベースに設けられる。
【００２６】
好ましい一実施例では、前記サイコロトレイ中心昇降機構は、固定して設けられる昇降ベースと、前記昇降ベースに縦方向に可動接続される中心昇降棒と、中心昇降棒の下端に設けられる中心昇降ベースとを少なくとも含み、前記圧縮ばねは前記スライダと昇降ベースとの間に位置し、前記スライダの底部のうち制限ブロックから離れた一端に下へ延伸しているガイド部が設けられ、前記中心昇降ベースには前記ガイド部と連携する牽引部が設けられる。
【考案の効果】
【００２７】
本実施例のスクレーパー回転式麻雀卓では、スクレーパーは洗牌テーブルと同軸で設けられ、洗牌テーブルに回転可能に接続されるように構成されており、従来技術に比べて、以下の有益な効果を有する。
（１）スクレーパーが回転可能に設けられることによって、従来の固定式のデザインを変更し、洗牌開始段階では、麻雀牌が洗牌テーブルの上面に落ちた後、スクレーパーのアームを制御して洗牌テーブルと同方向に回転させ、麻雀牌の一部が洗牌テーブルに連動して回転し、それによって、麻雀牌の山における麻雀牌の一部の給牌口へのスライド速度が遅くなり、この一部だけが給牌口へ移動し、それにより、給牌口での大量の麻雀牌の蓄積を回避し、給牌口での給牌効率を向上させる。
（２）スクレーパーのアームが洗牌テーブルと同方向に回動し、且つ回転数が洗牌テーブルよりも小さいので、相対速度の差により麻雀牌へ一定の抵抗力が与えられ、麻雀牌の底部への滑りを阻止したりガイドしたりするが、この過程において、抵抗力が小さく、アームの変形量が小さく、さらに洗牌テーブルの駆動モータのトルクも小さくなり、このように、コストを削減させるとともに、耐用年数を延ばす。
（３）給牌口で蓄積が生じることはないため、アーム自由端への抵抗力が小さく、アーム自由端の変形量が小さく、回転中、自由端の変形量による騒音が大幅に低減する。
【図面の簡単な説明】
【００２８】
【図１】実施例１に示すスクレーパー回転式麻雀卓の外部構造模式図である。
【図２】図１に示す実施例１の分解状態の構造模式図である。
【図３】実施例１における洗牌テーブルの構造模式図である。
【図４】実施例１におけるスクレーパーの構造模式図である。
【図５】実施例１における固定ベースの構造模式図である。
【図６】実施例１における分離制限ブロックの底部構造模式図である。
【図７】図６に示す分離制限ブロックの頂部構造模式図である。
【図８】実施例１におけるサイコロトレイ中心昇降機構の構造模式図である。
【図９】実施例１に示すスクレーパー回転式麻雀卓において分離制限ブロックが最高位置にある状態の部分断面構造模式図である。
【図１０】実施例１に示すスクレーパー回転式麻雀卓において分離制限ブロックが最低位置にある状態の部分断面構造模式図である。
【図１１】実施例１に示すスクレーパー回転式麻雀卓において分離制限ブロックが運動位置にあるときの部分断面構造模式図である。
【図１２】実施例２に示すスクレーパー回転式麻雀卓の構造模式図である。
【図１３】図１２に示す実施例２の分解状態の構造模式図である。
【図１４】実施例２におけるスクレーパーの構造模式図である。
【図１５】実施例３に示すスクレーパー回転式麻雀卓の構造模式図である。
【図１６】実施例４の前記スクレーパー回転式麻雀卓の外部構造模式図である。
【図１７】図１６に示すスクレーパー回転式麻雀卓の分解状態の構造模式図である。
【図１８】実施例４における洗牌テーブルの断面構造模式図である。
【図１９】実施例４における牌掻き集め機構と伝動歯車群との取り付け状態の構造模式図である。
【図２０】実施例４における牌掻き集め機構の構造模式図である。
【図２１】実施例４におけるスクレーパーの構造模式図である。
【図２２】実施例４における分離制限ブロックの構造模式図である。
【図２３】実施例４における固定ベースの構造模式図である。
【図２４】実施例４におけるサイコロトレイ中心昇降機構の構造模式図である。
【図２５】実施例４における伝動歯車群の構造模式図である。
【図２６】実施例４に示すスクレーパー回転式麻雀卓において分離制限ブロックが最高位位置にある状態の部分断面構造模式図である。
【図２７】実施例４に示すスクレーパー回転式麻雀卓において分離制限ブロックが最低位置にある状態の部分断面構造模式図である。
【図２８】実施例４に示すスクレーパー回転式麻雀卓において分離制限ブロックが運動位置にあるときの部分断面構造模式図である。
【図２９】実施例５の前記スクレーパー回転式麻雀卓の分離制限ブロックの構造模式図である。
【図３０】実施例６の前記スクレーパー回転式麻雀卓の牌掻き集め機構の分解状態の構造模式図である。
【図３１】実施例７に示すスクレーパー回転式麻雀卓のスクレーパー、洗牌テーブル、及びサイコロトレイ中心昇降機構の構造模式図である。
【図３２】図３１に示す構造の底部構造模式図である。
【図３３】図３１に示す構造からスクレーパー、洗牌テーブル、及びサイコロトレイ中心昇降機構を隠した構造模式図である。
【図３４】図３３に示す構造の分解状態の構造模式図である。
【図３５】実施例７における洗牌テーブルの構造模式図である。
【図３６】実施例７における第１の実施形態のスクレーパーの構造模式図である。
【図３７】実施例７における第２の実施形態のスクレーパーの構造模式図である。
【図３８】実施例７における制限構造の構造模式図である。
【図３９】図３８に示す制限構造の分解状態の構造模式図である。
【図４０】図３８に示す制限構造の断面状態の構造模式図である。
【図４１】実施例７の制限構造における制限ベースの構造模式図である。
【図４２】実施例７の制限構造におけるスライダの上面構造模式図である。
【図４３】実施例７の制限構造におけるスライダの下面構造模式図である。
【図４４】実施例７のスクレーパー回転式麻雀卓においてサイコロトレイが低位置にある状態の部分断面構造模式図である。
【図４５】実施例７のスクレーパー回転式麻雀卓においてサイコロトレイが低位置にある状態の部分立体構造模式図である。
【図４６】実施例７のスクレーパー回転式麻雀卓においてサイコロトレイが低位置にある状態の場合の制限ブロックの位置の部分構造模式図である。
【図４７】実施例７のスクレーパー回転式麻雀卓においてサイコロトレイが高位置にある状態の部分断面構造模式図である。
【図４８】実施例７のスクレーパー回転式麻雀卓においてサイコロトレイが高位置にある状態の部分立体構造模式図である。
【図４９】実施例７のスクレーパー回転式麻雀卓においてスクレーパーが回転状態である場合の制限ブロックの位置の部分構造模式図である。
【考案を実施するための形態】
【００２９】
本考案の目的、技術案及び利点をより明確にするために、以下、図面及び実施例を参照して、本考案をさらに詳細に説明する。なお、ここで説明する特定の実施例は本考案を解釈するために過ぎず、本考案を限定するものではない。
【００３０】
本考案の説明において、理解すべきものとして、用語「上」、「下」、「前」、「後」、「内」、「外」等により示される方位又は位置関係は図面に示す方位又は位置関係に基づくものであり、本考案の説明の便宜及び簡素化のために過ぎず、係る装置又は構成要素が必ずしも特定の方位を有したり、特定の方位で構造、操作されたりすることを指示又は示唆するものではなく、このため、本考案に対する制限として理解できない。
【００３１】
なお、本考案の説明において、別に明確に規定又は限定しない限り、用語「取り付け」、「連結」、「接続」は広義に理解すべきであり、例えば、固定して接続されてもよく、一体に接続されてもよく、取り外し可能に接続されてもよい。２つの構成要素の内部が連通してもよい。直接連結されてもよく、中間部品を介して間接的に連結されてもよく、当業者であれば、具体的な状況に応じて上記用語の本考案での具体的な定義を理解できる。
【００３２】
＜実施例１＞
本実施例のスクレーパー回転式麻雀卓は、図１、図２に示すように、洗牌テーブル１０、牌掻き集め機構２０及びサイコロトレイ中心昇降機構３０を含む。
【００３３】
本実施例では、図２、図３に示すように、洗牌テーブル１０には前記洗牌テーブル１０を回転駆動するためのテーブル駆動装置が配置され、該テーブル駆動装置はテーブル駆動モータ１３を含み、該テーブル駆動モータの出力軸に第１の駆動歯車１４が取り付けられ、洗牌テーブル１０の底部に、前記第１の駆動歯車１４と噛み合う第２の駆動ギアリング１１が設けられる。
【００３４】
なお、本実施例では、テーブル駆動モータは１つ設けられるが、本実施例の好ましい実施形態に過ぎず、テーブル駆動モータは必要に応じて複数設けられてもよい。さらに、テーブル駆動モータと洗牌テーブルの間の伝動方式も好ましい実施形態であり、前記洗牌テーブルには、第１の駆動歯車と噛み合う第２の駆動歯車が設けられ、又は他の可能な伝動方式が使用されてもよく、ここでは特に制限しない。
【００３５】
本実施例の最も重要な改良として、牌掻き集め機構２０は、図２に示すように、固定して設けられる固定ベース２３と、固定ベースの上方に設けられるスクレーパー２１とを含む。これらの中でも、スクレーパー２１の構造は、図４に示すように、固定ベース２３に対向して設けられた可動ベース２１１と、可動ベース２１１に周設された４つのアーム２１２とを含む。
【００３６】
本実施例では、可動ベースと固定ベースとの間に運動分離機構が設けられ、該運動分離機構は分離制限ブロック２２を含む。可動ベース２１１の内部に前記分離制限ブロック２２が軸方向に運動する運動空間が設けられ、分離制限ブロック２２は、該運動空間内では、第１の状態と第２の状態を含み、図１０に示す第１の状態では、スクレーパー２１は固定ベース２３に対して固定され、図９、図１１に示す第２の状態では、前記スクレーパー２１は固定ベース２３に対して回転可能である。
【００３７】
本実施例の分離制限ブロック２２では、図６に示すように、固定ベース２３に面する端面に固定ベース側へ延伸する２つの制限突起２２４が設けられる。このような場合、図５に示すように、固定ベース２３には、前記制限突起２２４が挿着して連携する制限孔２３２が設けられる。制限突起２２４と制限孔２３２によって分離制限ブロックと固定ベースとの間の制限機構が構成され、該制限機構は、分離制限ブロックの軸方向の運動に影響を与えないように構成されている。一方、前記分離制限ブロックが前記第１の状態である場合、分離制限ブロックの周方向運動の邪魔となる。即ち、分離制限ブロックは固定ベースに対して周方向に固定されるとともに、軸方向に移動可能である。
【００３８】
本実施例では、分離制限ブロック２２と可動ベース２１１の内壁との間に、軸方向案内機構が設けられ、該軸方向案内機構は、可動ベースの内壁に設けられ、軸方向に延伸する複数の案内リブ２１４、及び分離制限ブロックの外壁に設けられて案内リブ２１４と嵌合する案内溝２２６を含む。該軸方向案内機構は、分離制限ブロックが可動ベースに対して軸方向運動しかできないようにする。分離制限ブロックが第１の状態である場合、スクレーパーは固定ベースに一体であって固定状態となり、分離制限ブロックが第２の状態である場合、スクレーパーと分離制限ブロックからなる一体構造は固定ベースに対して回転可能である。
【００３９】
なお、本実施例では、軸方向案内機構の案内リブは可動ベースの内壁に設けられ、案内溝は分離制限ブロックの外壁に設けられ、等同実施形態として、案内リブは分離制限ブロックの外壁に設けられ、対応する案内溝は可動ベースの内壁に設けられるようにしてもよい。もちろん、軸方向案内機構は、従来技術における他の可能な実施形態、例えば案内軸と案内孔の組み合わせを採用してもよく、ここでは特に制限しない。
【００４０】
本実施例では、図２、図９〜図１１に示すように、前記可動ベース２１１と分離制限ブロック２２との間に弾性部材２４が設けられる。該弾性部材２４は、好ましくはばねであり、その構成形態としては、分離制限ブロックが第２の状態である場合、弾性部材は圧縮され、制限突起が制限ブロックと同軸の位置にある場合、弾性部材の圧縮ポテンシャルエネルギーが放出されて、下方へ移動して第２の状態から第１の状態になるように分離制限ブロックを駆動する。
好ましくは、本実施例では、図７に示すように、可動ベース２２の頂部には、弾性部材２１１を収容するための収容溝２２７が設けられる。
【００４１】
本実施例では、スクレーパー２１には、独立した牌掻き集め駆動装置が配置されており、麻雀卓の制御システムは該スクレーパーと洗牌テーブルが独立して回転するように制御を行う。スクレーパーの回転と洗牌テーブルの回転はそれぞれ独立に行われるように設計され、スクレーパーの回転方向、回転数、回転角度などが全て洗牌テーブルの回転による影響を受けないため、制御方式がより柔軟である。
【００４２】
好ましくは、本実施例では、牌掻き集め駆動装置は、図２に示すように、牌掻き集め駆動モータ２５を含み、該牌掻き集め駆動モータ２５の出力軸には第３の駆動歯車２６が接続されている。このような場合、図２、図４に示すように、可動ベース２１１には第４の駆動歯車２１５が設けられ、この第４の駆動歯車２１５は第３の駆動歯車２６と噛み合う。
【００４３】
なお、上記牌掻き集め駆動装置は本実施例の好ましい実施形態に過ぎず、本出願を一意に制限するものではない。第４の駆動歯車はギアリング構造として、第３の駆動歯車と噛み合うようにしてもよい。又は他の可能な伝動方式を採用してもよいが、ここでは特に制限しない。
【００４４】
好ましくは、本実施例では、運動を分離する目的のため、第４の駆動歯車２１５には退避部２２２が設けられ、前記分離制限ブロックが第１の状態である場合、第４の駆動歯車２１５は退避部２２２の位置で第３の駆動歯車２６と噛み合いを解除するように構成されている。
【００４５】
本実施例では、サイコロトレイ中心昇降機構３０の構造は、図２、図８に示すように、上部から下部へ順次接続されるサイコロトレイ３１、中心昇降棒３２及び中心昇降ベース３３を含み、さらに中心昇降モータ３５及びカム３４を含む。これらのうち、中心昇降モータ３５はカム３４を回転駆動し、さらに中心昇降ベース３３を昇降駆動する。なお、該サイコロトレイ中心昇降機構３０の構造及び原理は麻雀卓の技術分野における慣用技術であるため、ここでは詳しく説明しない。
【００４６】
本実施例の特徴として、制限孔２３２は貫通するものとして設計され、このような場合、中心昇降ベース３３には制限孔に対応する突き出し棒３６が設けられ、該突き出し棒３６は、中心昇降ベースが上昇すると、制限孔に挿入されて制限孔内の制限突起を制限孔から突き出し、分離制限ブロックを第１の状態から第２の状態に運動させるような役割を果たす。
【００４７】
もちろん、中心昇降ベースの突き出し棒を動かして分離制限ブロックを駆動して第１の状態から第２の状態に運動させるような構造の形態は、本実施例の好ましい形態に過ぎず、一意に制限するものではない。分離制限ブロックを駆動して第１の状態から第２の状態に運動させる他の可能な構造は全て本実施例に適用できる。
【００４８】
好ましくは、図５に示すように、本実施例の固定ベース２３では、前記制限孔２３２の一方の側に、制限突起の下端の最低位置から固定ベースの上面まで延伸する軌跡溝２３３が設けられ、該軌跡溝２３３の円弧形軌跡は前記制限突起と嵌合する。さらに、前記制限突起２２４が軌跡溝２３３の底部から軌跡溝を滑り出すと、前記スクレーパーの回転方向と洗牌テーブルの回転方向とは逆になる。
【００４９】
なお、本実施例のスクレーパー回転式麻雀卓では、麻雀卓制御システムにより制御することによって、様々な洗牌方法が可能である。以下、作動原理を参照して様々な洗牌方法を詳細に説明する。
【００５０】
第１の洗牌方法：
本実施例では、図１０に示す洗牌開始前の初期状態において、分離制限ブロック２２の制限突起２２４は制限孔２３２にあり、スクレーパー２１は固定状態である。１局が終了して新しい局が開始するに当たって、麻雀卓を操作して中心昇降モータ３５を起動させ、中心昇降サイコロトレイ３１、中心昇降棒３２及び中心昇降ベース３３を駆動して上昇させる。この過程において、図９に示すように、突き出し棒３６は制限突起を制限孔から突き出す。即ち、分離制限ブロックは第１の状態から第２の状態に運動する。
【００５１】
この過程において、麻雀牌が麻雀卓の内部の洗牌テーブルに押し込まれるとともに、テーブル駆動モータが起動し、洗牌テーブルが回転駆動される。スクレーパーのアーム２１２が弾性を有し且つ洗牌テーブル１０の上面に密着しているので、洗牌テーブル１０が回転する際に、摩擦力の作用により、スクレーパーが一定の角度だけ回転させられ、制限突起と制限孔の位置が交差し、制限突起の下端面が固定ベースの上面２３１と接触する。また、スクレーパーが所定の角度だけ回転すると、第４の駆動歯車の回転により退避部の位置が変わり、前記第３の駆動歯車と第４の駆動歯車が噛み合った状態となり、それにより、スクレーパーが回転駆動される。
【００５２】
この第１の洗牌方法は、第１の洗牌段階と第２の洗牌段階を含む。
本実施例では、第１の洗牌段階において、前記スクレーパーは洗牌テーブルと同方向に回転し、前記洗牌テーブルの回転数がｎ１、前記スクレーパーの回転数がｎ２であると、ｎ２＜ｎ１である。好ましくは、ｎ２＝（０．２〜０．８）＊ｎ１である。
【００５３】
この第１の洗牌段階では、麻雀牌が洗牌テーブルの上面にスライドした後、スクレーパーのアームが洗牌テーブルと同方向に回転するため、麻雀牌の一部が洗牌テーブルに連動して回転し、麻雀牌の山における麻雀牌の一部の給牌口へのスライド速度が遅くなり、この一部だけが給牌口へ移動し、このように、給牌口での大量の麻雀牌の蓄積を回避し、給牌口での給牌効率を向上させる。スクレーパーのアームが洗牌テーブルと同方向に回動し、且つ回転数が洗牌テーブルよりも小さいので、相対速度の差により麻雀牌へ一定の抵抗力が与えられ、麻雀牌の底部への滑りを阻止したりガイドしたりするが、この過程において、抵抗力が小さく、アームの変形量が小さく、洗牌テーブルの駆動モータトルクも小さくなり、このように、コストを削減させるとともに、耐用年数を延ばす。
【００５４】
給牌口で蓄積が生じることはないため、アーム自由端への抵抗力が小さく、アーム自由端の変形量が小さく、回転中、自由端の変形量による騒音が大幅に低減する。
【００５５】
本実施例では、スクレーパーが所定の角度Ｒだけ回転した後、第２の洗牌段階に入る。この第２の洗牌段階では、前記スクレーパーは回転を停止し、前記洗牌テーブルは洗牌終了まで回転する。
【００５６】
この第１の洗牌段階では、大部分の麻雀牌が給牌口に沿って給牌装置に入っている。この後、洗牌テーブルに少量の麻雀牌が残り、スクレーパーが回動し続けると、麻雀牌が給牌口に入る時間が遅延する。したがって、第２の段階では、スクレーパーは回転を停止し、残りの麻雀牌を阻止して給牌口に案内する。これにより、麻雀牌が少ない場合の洗牌効率の向上に寄与する。
【００５７】
本実施例では、通常、回転角度Ｒは６０°≦Ｒ≦３６０°とする。本実施例では、回転角度Ｒは円周面上の制限突起と制限孔との位置により制御される。好ましくは、本実施例では、制限突起と制限孔が２組設けられ、２組の制限構造が径方向にずれて設けられる。したがって、本実施例の回転角度Ｒは３６０°である。制限突起と制限孔の位置が重なるまでスクレーパーが回転するときに、弾性部材の作用により、制限突起は制限孔に入り込み、スクレーパーの回転を停止する。
【００５８】
もちろん、以上は本出願を一意に制限するものではなく、回転角度は他の角度としてもよい。例えば、制限突起を１８０°回転させて、対応する位置の制限孔と重ねるなど、角度は必要に応じて設定してもよい。なお、回転角度が３６０度ではない場合にも、第４の駆動歯車では、角度に応じて異なる数の退避部が設けられる。
【００５９】
第２の洗牌方法：
この第２の洗牌方法は、第１の洗牌方法と比較して、第１の段階では、前記スクレーパーの回転運動が間欠的な運動であってもよい点で相違している。
スクレーパーの間欠的な運動中、洗牌テーブルにおける麻雀牌に対するアームの阻止作用にはより多くの変化があり、給牌効率の向上に有利である。
【００６０】
第３の洗牌方法：
この第３の洗牌方法は、第１の洗牌方法及び第２の洗牌方法と比較して、第１の洗牌方法又は第２の洗牌方法に基づいて、第３の洗牌段階と第４の洗牌段階を追加する点で相違している。
【００６１】
第３の洗牌段階では、テーブル駆動モータは逆方向に回動し、駆動洗牌テーブルは逆方向に回転し、洗牌テーブルの上面とアームとの間の摩擦力の作用により、スクレーパーが逆方向に回転駆動される。この逆方向回転において、制限突起は軌跡溝に沿って固定ベースの上面へ運動し、この運動過程において、第４の駆動歯車が所定の角度だけ回転しているので、退避部が所定の角度だけ回動させられ、第３の駆動歯車と第４の駆動歯車が噛み合い、噛み合った後、牌掻き集め駆動モータは逆方向に回転する。即ち、スクレーパーは逆方向に回転駆動され得る。
【００６２】
第４の洗牌段階では、前記スクレーパーの逆方向回転が開始すると、前記洗牌テーブルの回転運動方向は第１の洗牌段階と同じように切り替わり、スクレーパーは洗牌が終了するまで洗牌テーブルと逆の方向に回転する。
【００６３】
スクレーパーが洗牌テーブルと逆の方向に回転する利点としては、麻雀牌が少ない場合、麻雀牌を給牌口に効率よく案内し、給牌効率を向上させることに有利である。
好ましくは、前記スクレーパーが洗牌テーブルと逆の方向に回転する回転数がｎ３であると、ｎ３≦ｎ２＜ｎ１である。
【００６４】
第４の洗牌方法：
本実施例の第４の洗牌方法は、第３の洗牌方法と比較して、スクレーパーの逆方向回転が間欠的な運動である点で相違している。
【００６５】
＜実施例２＞
本実施例のスクレーパー回転式麻雀卓は、図１２、図１３に示すように、洗牌テーブル１０、スクレーパー２１及びサイコロトレイ中心昇降機構３０を含む。
【００６６】
本実施例では、図１２、図１３に示すように、洗牌テーブル１０には前記洗牌テーブル１０を回転駆動するためのテーブル駆動装置が配置され、該テーブル駆動装置はテーブル駆動モータ１３を含み、該テーブル駆動モータの出力軸に第１の駆動歯車１４が取り付けられ、洗牌テーブル１０の底部に、前記第１の駆動歯車１４と噛み合う第２の駆動ギアリング１１が設けられる。
【００６７】
なお、本実施例では、テーブル駆動モータは１つ設けられるが、本実施例の好ましい実施形態に過ぎず、テーブル駆動モータは必要に応じて複数設けられてもよい。さらに、テーブル駆動モータと洗牌テーブルとの間の伝動方式も好ましい実施形態であり、前記洗牌テーブルには、第１の駆動歯車と噛み合う第２の駆動歯車が設けられ、又は他の伝動方式が使用されてもよく、ここでは特に制限しない。
【００６８】
本実施例の最も重要な改良として、スクレーパー２１は洗牌テーブル１０と同軸で回転可能に接続される。スクレーパー２１の構造は、図１４に示すように、可動ベース２１１と、可動ベース２１１に周設される４つのアーム２１２とを含む。
【００６９】
本実施例では、スクレーパー２１には、独立した牌掻き集め駆動装置が配置されており、麻雀卓の制御システムは、該スクレーパーと洗牌テーブルが独立に回転するように制御を行う。
【００７０】
好ましくは、本実施例では、牌掻き集め駆動装置は、図１２、図１３に示すように、牌掻き集め駆動モータ２５を含み、該牌掻き集め駆動モータ２５の出力軸には第３の駆動歯車２６が接続されている。このような場合、図１３、図１４に示すように、可動ベース２１１には第４の駆動歯車２１５が設けられ、この第４の駆動歯車２１５は第３の駆動歯車２６と噛み合う。
【００７１】
なお、上記牌掻き集め駆動装置は本実施例の好ましい実施形態に過ぎず、本出願を一意に制限するものではない。第４の駆動歯車はギアリング構造として、第３の駆動歯車と噛み合うようにしてもよい。又は他の伝動方式を採用してもよいが、ここでは特に制限しない。
【００７２】
本実施例では、サイコロトレイ中心昇降機構３０の構造は、図１４に示すように、上部から下部へ順次接続されるサイコロトレイ３１、中心昇降棒３２及び中心昇降ベース３３を含み、さらに中心昇降モータ３５及びカム３４を含む。これらのうち、中心昇降モータ３５はカム３４を回転駆動し、さらに中心昇降ベース３３を昇降駆動する。なお、該サイコロトレイ中心昇降機構３０の構造及び原理は麻雀卓の技術分野における慣用技術であるため、ここでは詳しく説明しない。
【００７３】
なお、本実施例のスクレーパー回転式麻雀卓では、麻雀卓制御システムにより制御することによって、様々な洗牌方法が可能である。以下、作動原理を参照して様々な洗牌方法を詳細に説明する。
【００７４】
第１の洗牌方法：
本実施例では、この第１の洗牌方法は、第１の洗牌段階と第２の洗牌段階を含む。
本実施例では、第１の洗牌段階において、前記スクレーパーを制御して洗牌テーブルと同方向に回転させ、前記洗牌テーブルの回転数がｎ１、前記スクレーパーの回転数がｎ２であると、ｎ２＜ｎ１である。好ましくは、ｎ２＝（０．２〜０．８）＊ｎ１である。
【００７５】
この第１の洗牌段階では、麻雀牌が洗牌テーブルの上面にスライドした後、スクレーパーのアームが洗牌テーブルと同方向に回転するため、麻雀牌の一部が洗牌テーブルに連動して回転し、麻雀牌の山における麻雀牌の一部の給牌口へのスライド速度が遅くなり、この一部だけが給牌口へ移動し、このように、給牌口での大量の麻雀牌の蓄積を回避し、給牌口での給牌効率を向上させる。スクレーパーのアームが洗牌テーブルと同方向に回動し、且つ回転数が洗牌テーブルよりも小さいので、相対速度の差により麻雀牌へ一定の抵抗力が与えられ、麻雀牌の底部への滑りを阻止したりガイドしたりするが、この過程において、抵抗力が小さく、アームの変形量が小さく、洗牌テーブルの駆動モータトルクも小さくなり、このように、コストを削減させるとともに、耐用年数を延ばす。
【００７６】
給牌口で蓄積が生じることはないため、アーム自由端への抵抗力が小さく、アーム自由端の変形量が小さく、回転中、自由端の変形量による騒音が大幅に低減する。
【００７７】
本実施例では、スクレーパーが所定の角度Ｒだけ回転した後、第２の洗牌段階に入る。この第２の洗牌段階では、前記スクレーパーは回転を停止し、前記洗牌テーブルは洗牌終了まで回転する。
【００７８】
この第１の洗牌段階では、大部分の麻雀牌が給牌口に沿って給牌装置に入っている。この後、洗牌テーブルに少量の麻雀牌が残り、スクレーパーが回動し続けると、麻雀牌が給牌口に入る時間が遅延する。したがって、第２の段階では、スクレーパーは回転を停止し、残りの麻雀牌を阻止して給牌口に案内する。これにより、麻雀牌が少ない場合の洗牌効率の向上に寄与する。
【００７９】
本実施例では、通常、回転角度Ｒは６０°≦Ｒ≦７２０°とし、スクレーパーが独立に制御されるので、回転角度は牌型のサイズなどの要素に応じて簡便に調整、制御され得る。
【００８０】
第２の洗牌方法：
この第２の洗牌方法は、第１の洗牌方法と比較して、第１の段階では、前記スクレーパーの回転運動が間欠的な運動であってもよい点で相違している。
スクレーパーの間欠的な運動中、洗牌テーブルにおける麻雀牌に対するアームの阻止作用には多くの変化があり、給牌効率の向上に有利である。
【００８１】
第３の洗牌方法：
この第３の洗牌方法は、第１の洗牌方法及び第２の洗牌方法と比較して、第１の洗牌方法又は第２の洗牌方法に基づいて、第３の洗牌段階を追加する点で相違している。
第３の洗牌段階では、スクレーパーが逆方向に回転し、洗牌テーブルが洗牌終了まで第１の段階の回転方向に沿って回転し続けるように制御を行う。
【００８２】
スクレーパーが洗牌テーブルと逆の方向に回転する利点としては、麻雀牌が少ない場合、麻雀牌を給牌口に効率よく案内し、給牌効率を向上させることに有利である。
好ましくは、前記スクレーパーが洗牌テーブルと逆の方向に回転する回転数がｎ３であると、ｎ３≦ｎ２＜ｎ１である。
【００８３】
第４の洗牌方法：
本実施例の第４の洗牌方法は、第３の洗牌方法と比較して、スクレーパーの逆方向回転が間欠的な運動である点で相違している。
【００８４】
＜実施例３＞
本実施例のスクレーパー回転式麻雀卓は、実施例２と比較して、図１５に示すように、第５の駆動歯車２７をさらに含む点で相違している。この第５の駆動歯車２７は前記第３の駆動歯車２６と同軸で設けられ、この第５の駆動歯車２７は第２の駆動ギアリング１１と噛み合う。
【００８５】
本実施例の特徴は、前記第５の駆動歯車２７が一方向軸受けを介して駆動軸に接続されることである。スクレーパーと洗牌テーブルが共に順方向に回転するときに、牌掻き集め駆動モータの駆動力が第５の駆動歯車を介して洗牌テーブルに伝達されて、洗牌テーブルへ補助動力を供給し、それにより、洗牌初期段階で洗牌テーブル上の麻雀牌が多い場合、洗牌駆動モータの負荷を減少させるのに有利である。
【００８６】
スクレーパーが洗牌テーブルと逆の方向に回転するときに、一方向軸受けによる一方向伝達の特性によって、牌掻き集め駆動モータと洗牌テーブルとの間の伝動が切断される。
本実施例のスクレーパー回転式麻雀卓では、制御可能な洗牌方式は実施例２と同様であり、ここでは詳しく説明しない。
【００８７】
＜実施例４＞
本実施例のスクレーパー回転式麻雀卓は、図１６、図１７に示すように、洗牌テーブル１０、牌掻き集め機構２０及びサイコロトレイ中心昇降機構３０を含む。
【００８８】
本実施例では、図１７、図１８に示すように、洗牌テーブル１０には前記洗牌テーブル１０を回転駆動するためのテーブル駆動装置が配置され、該テーブル駆動装置は対称的に設けられた一対のテーブル駆動モータ１３を含み、該テーブル駆動モータの出力軸に駆動歯車１４が設けられ、洗牌テーブル１０の底部に前記駆動歯車１４と噛み合う従動ギアリング１１が設けられる。
【００８９】
なお、本実施例では、テーブル駆動モータは２つ設けられるが、本実施例の好ましい実施形態に過ぎず、必要に応じて１つだけ又は２つよりも多く設けられてもよい。さらに、テーブル駆動モータと洗牌テーブルとの間の伝動方式も好ましい実施形態であり、前記洗牌テーブルには、駆動歯車と噛み合う従動歯車が設けられ、又は他の可能な伝動方式が採用されてもよく、ここでは特に制限しない。
【００９０】
本実施例の最も重要な改良として、牌掻き集め機構２０は、図１７に示すように、固定して設けられる固定ベース２３と、固定ベースの上方に設けられるスクレーパー２１とを含む。これらの中でも、スクレーパー２１の構造は、図２１に示すように、固定ベース２３に対向して設けられた可動ベース２１１と、可動ベース２１１に周設された４つのアーム２１２とを含む。
【００９１】
本実施例では、可動ベースと固定ベースとの間に運動分離機構が設けられ、該運動分離機構は分離制限ブロック２２を含む。可動ベース２１１の内部に前記分離制限ブロック２２が軸方向に運動する運動空間が設けられ、分離制限ブロック２２は、該運動空間内では、第１の状態と第２の状態を含み、図２７に示す第１の状態では、スクレーパー２１は固定ベース２３に対して固定され、図２６、図２８に示す第２の状態では、前記スクレーパー２１は固定ベース２３に対して回転可能である。
【００９２】
本実施例の分離制限ブロック２２では、図２２に示すように、固定ベース２３に面する端面に固定ベース側へ延伸する２つの制限突起２２４が設けられる。このような場合、図２３に示すように、固定ベース２３には、前記制限突起２２４が挿着して連携する制限孔２３２が設けられる。制限突起２２４と制限孔２３２によって分離制限ブロックと固定ベースとの間の制限機構が構成され、該制限機構は、分離制限ブロックの軸方向運動に影響を与えないように構成されている。一方、前記分離制限ブロックが前記第１の状態である場合、分離制限ブロックの周方向運動の邪魔となる。即ち、分離制限ブロックは固定ベースに対して周方向に固定されるとともに、軸方向に移動可能である。
【００９３】
本実施例では、分離制限ブロック２２と可動ベース２１１の内壁との間に、軸方向案内機構が設けられ、該軸方向案内機構は、分離制限ブロックの外壁に設けられ、軸方向に延伸する複数の案内リブ２２３、可動ベースの内壁に設けられて案内リブ２２３と嵌合する案内溝２１３を含む。該軸方向案内機構は、分離制限ブロックが可動ベースに対して軸方向運動しかできないようにする。分離制限ブロックが第１の状態である場合、スクレーパーは固定ベースに一体であって固定状態となり、分離制限ブロックが第２の状態である場合、スクレーパーと分離制限ブロックからなる一体構造は固定ベースに対して回転可能である。
【００９４】
なお、本実施例では、軸方向案内機構の案内リブ２２３は分離制限ブロックの外壁に設けられ、案内溝は可動ベースの内壁に設けられ、等同実施形態として、案内リブは可動ベースの内壁に設けられ、対応する案内溝は分離制限ブロックの外壁に設けられるようにしてもよい。もちろん、軸方向案内機構は従来技術における他の可能な実施形態、例えば案内軸と案内孔の組み合わせを採用してもよく、ここでは特に制限しない。
【００９５】
本実施例では、図１７、図２６〜図２８に示すように、前記可動ベース２１１と分離制限ブロック２２との間に弾性部材２４が設けられる。該弾性部材２４は、好ましくはばねであり、その構成形態としては、分離制限ブロックが第２の状態である場合、弾性部材は圧縮され、制限突起が制限ブロックと同軸の位置にある場合、弾性部材の圧縮ポテンシャルエネルギーが放出されて、下方へ移動して第２の状態から第１の状態になるように分離制限ブロックを駆動する。
本実施例の特徴として、洗牌テーブル１０とスクレーパー２１との間に伝動機構が設けられ、テーブル駆動装置によってスクレーパーが回転駆動される。
【００９６】
具体的には、本実施例では、図１７、図１８〜図２０、図２２及び図２５に示すように、伝動機構は、洗牌テーブルに設けられる第１の伝動ギアリング１２、分離制限ブロックに設けられた第２の伝動ギアリング２２１及び伝動歯車群４０を含む。好ましくは、本実施例では、伝動歯車群は、同軸で設けられる第１の伝動歯車４１と第２の伝動歯車４２を含み、第１の伝動歯車４１は第１の伝動ギアリング１２と噛み合い、第２の伝動歯車４２は第２の伝動ギアリング２２１と噛み合い、それによって、洗牌テーブルの回転運動がスクレーパーに伝達されて、スクレーパーを回転駆動する。
【００９７】
本実施例では、運動を分離する目的のため、図２２に示すように、第２の伝動ギアリング２２１には、１箇所の退避部２２２が設けられ、前記分離制限ブロックが第１の状態である場合、前記第２の伝動歯車は退避部で前記第２の伝動ギアリングと噛み合いを解除するように構成されている。
【００９８】
本実施例では、洗牌テーブルとスクレーパーとの間に伝動機構が設けられ、且つ、牌掻き集め機構の固定ベースとスクレーパーとの間に運動分離機構が設けられ、スクレーパーが固定されているような従来の構造の形態を変更し、洗牌開始段階では、洗牌テーブルが伝動機構を介してスクレーパーを同方向に回転駆動可能にする。スクレーパーと洗牌テーブルとの間に伝動機構が設けられ、それによって、スクレーパーと洗牌テーブルはテーブル駆動装置を共用し、テーブル駆動装置の駆動力の利用率を高め、運動の集積レベルが高いと、エネルギーを節約して消費量を削減させ、コストを削減させ、制御を簡便にするという技術上の優位性がある。
【００９９】
本実施例では、サイコロトレイ中心昇降機構３０の構造は、図１７、図２４に示すように、上部から而部へ順次接続されるサイコロトレイ３１、中心昇降棒３２及び中心昇降ベース３３を含み、さらに中心昇降モータ３５及びカム３４を含む。これらのうち、中心昇降モータ３５はカム３４を回転駆動し、さらに中心昇降ベース３３を昇降駆動する。なお、該サイコロトレイ中心昇降機構３０の構造及び原理は麻雀卓の技術分野における慣用技術であるため、ここでは詳しく説明しない。
【０１００】
本実施例の特徴として、制限孔２３２は貫通するものとして設計され、このような場合、中心昇降ベース３３には制限孔に対応する突き出し棒３６が設けられ、該突き出し棒３６は、中心昇降ベースが上昇すると、制限孔に挿入されて制限孔内の制限凸を制限孔から突き出し、分離制限ブロックを第１の状態から第２の状態に運動させるような役割を果たす。
【０１０１】
もちろん、中心昇降ベースの突き出し棒を動かして分離制限ブロックを駆動して第１の状態から第２の状態にさせるような構造の形態は本実施例の好ましい形態に過ぎず、一意に制限するものではない。分離制限ブロックを駆動して第１の状態から第２の状態に運動させる他の可能な構造は全て本実施例に適用できる。
【０１０２】
本実施例のスクレーパー回転式麻雀卓の作動原理及び対応する洗牌方法は、具体的には、以下のとおりである。
本実施例では、図２７に示す洗牌開始前の初期状態において、分離制限ブロック２２の制限突起２２４は制限孔２３２にあり、スクレーパー２１は固定状態である。１局が終了して新しい局が開始するにあたって、麻雀卓を操作して中心昇降モータ３５を起動させ、中心昇降サイコロトレイ３１、中心昇降棒３２及び中心昇降ベース３３を駆動して上昇させる。この過程において、図２６に示すように、突き出し棒３６は制限突起を制限孔から突き出す。即ち、分離制限ブロックは第１の状態から第２の状態に運動する。
【０１０３】
この過程において、麻雀が麻雀卓の内部の洗牌テーブルに押し込まれるとともに、テーブル駆動モータが起動し、洗牌テーブルが回転駆動される。スクレーパーのアーム２１２が弾性を有し且つ洗牌テーブル１０の上面に密着しているので、洗牌テーブル１０が回転する際に、摩擦力の作用により、スクレーパーが所定の角度だけ回転させられ、制限突起と制限孔の位置が交差し、制限突起の下端面が固定ベースの上面２３１と接触する。また、スクレーパーが所定の角度だけ回転すると、第２の伝動ギアリングの回転により退避部の位置が変わり、前記第２の伝動歯車と第２の伝動ギアリングが噛み合った状態となり、それにより、スクレーパーが回転駆動される。
【０１０４】
本実施例の麻雀卓に対応する洗牌方法は、第１の洗牌段階と第２の洗牌段階を含む。
本実施例では、この第１の洗牌段階において、前記スクレーパーは洗牌テーブルと同方向に回転し、前記洗牌テーブルの回転数がｎ１、前記スクレーパーの回転数がｎ２であると、ｎ２＜ｎ１である。好ましくは、ｎ２＝（０．２〜０．８）＊ｎ１である。
【０１０５】
この第１の洗牌段階では、麻雀牌が洗牌テーブルの上面にスライドした後、スクレーパーのアームが洗牌テーブルと同方向に回転するため、麻雀牌の一部が洗牌テーブルに連動して回転し、麻雀牌の山における麻雀牌の一部の給牌口へのスライド速度が遅くなり、この一部分だけが給牌口へ移動し、このように、給牌口での大量の麻雀牌の蓄積を回避し、給牌口での給牌効率を向上させる。スクレーパーのアームが洗牌テーブルと同方向に回動し、且つ回転数が洗牌テーブルよりも小さいので、相対速度の差により麻雀牌へ一定の抵抗力が与えられ、麻雀牌の底部への滑りを阻止したりガイドしたりするが、この過程において、抵抗力が小さく、アームの変形量が小さく、洗牌テーブルの駆動モータトルクも小さくなり、このように、コストを削減させるとともに、耐用年数を延ばす。
【０１０６】
給牌口で蓄積が生じることはないため、アーム自由端への抵抗力が小さく、アーム自由端の変形量が小さく、回転中、自由端の変形量による騒音が大幅に低減する。
【０１０７】
本実施例では、スクレーパーが所定の角度Ｒだけ回転した後、第２の洗牌段階に入る。この第２の洗牌段階では、前記スクレーパーは回転を停止し、前記洗牌テーブルは洗牌終了まで回転する。
【０１０８】
この第１の洗牌段階では、大部分の麻雀牌が給牌口に沿って給牌装置に入っている。この後、洗牌テーブルに少量の麻雀牌が残り、スクレーパーが回動し続けると、麻雀牌が給牌口に入る時間が遅延する。したがって、第２の段階では、スクレーパーは回転を停止し、残りの麻雀牌を阻止して給牌口に案内する。これにより、麻雀牌が少ない場合の洗牌効率の向上に寄与する。
【０１０９】
本実施例では、通常、回転角度Ｒは６０°≦Ｒ≦３６０°とする。本実施例では、回転角度Ｒは円周面上の制限突起と制限孔との位置により制御される。好ましくは、本実施例では、制限突起と制限孔が２組設けられ、２組の制限構造が径方向にずれて設けられる。したがって、本実施例の回転角度Ｒは３６０°である。制限突起と制限孔の位置が重なるまでスクレーパーが回転するときに、弾性部材の作用により、制限突起は制限孔に入り込み、スクレーパーの回転を停止する。
【０１１０】
もちろん、以上は本出願を一意に制限するものではなく、回転角度は他の角度としてもよい。例えば、制限突起を１８０°回転させて、対応する位置の制限孔と重ねるなど、角度は必要に応じて設定してもよい。なお、回転角度が３６０度ではない場合にも、第２の伝動ギアリングでは、角度に応じて異なる数の退避部が設けられる。
【０１１１】
＜実施例５＞
本実施例のスクレーパー回転式麻雀卓は、実施例４と比較して、図２９に示すように、第２の伝動ギアリング２２１が円周方向に完全な歯となり、退避部が設けられておらず、一方、第２の伝動ギアリング２２１の上方に間隙２２５が設けられている点で相違している。本実施例では、分離制限ブロックが第１の状態である場合、前記第２の伝動ギアリング２２１と第２の伝動歯車４２は高低差を有し、噛み合いを解除する。即ち、第２の伝動歯車４２は間隙２２５の所在する位置にある。前記分離制限ブロックが第２の状態である場合、第２の伝動ギアリング２２１は分離制限ブロックとともに上昇して、第２の伝動歯車と噛み合い、洗牌テーブルをもってスクレーパーを回転駆動する。
なお、本実施例の洗牌方法は、実施例４と同様であるため、ここでは詳しく説明しない。
【０１１２】
＜実施例６＞
本実施例のスクレーパー回転式麻雀卓は、実施例４と比較して、図３０に示すように、第２の伝動ギアリング２２１が分離制限ブロックではなく、可動ベース２１１の内部に設けられ、且つ、この第２の伝動ギアリング２２１に退避部２２２が設けられている点で相違している。
【０１１３】
好ましくは、本実施例では、軸方向案内機構である案内リブ２１４は可動ベースの内壁に設けられ、案内溝２２６は分離制限ブロックの外壁に設けられ。該構造は実施例４における軸方向案内機構の効果と同様である。
なお、本実施例の洗牌方法は、実施例４と同様であるため、ここでは詳しく説明しない。
【０１１４】
＜実施例７＞
本実施例のスクレーパー回転式麻雀卓は、図３１〜３４に示すように、サイコロトレイ中心昇降機構、洗牌テーブル１０及びスクレーパー２１を含む。これらのうち、前記スクレーパー２１は、洗牌テーブル１０と同軸で設けられ、前記洗牌テーブルの上方に位置する。
【０１１５】
図３５に示すように、本実施例の洗牌テーブル１０には１つのインナーギアリング１５が設けられる。該洗牌テーブル１０で配置されたテーブル駆動装置は、図３２〜３４に示すように、対向して設けられた一対のテーブル駆動モータ１３を含み、該上記テーブル駆動モータ１３はモータベース４５内に取り付けられる。テーブル駆動モータ１３の出力軸に第１の駆動歯車１４が固定して接続され、一対の前記第１の駆動歯車１４は共に前記インナーギアリング１５と噛み合う。
【０１１６】
なお、本実施例では、テーブル駆動装置が対向して設けられた一対のテーブル駆動モータ１３を含む態様は好ましい態様であるが、テーブル駆動モータ１３は１つ設けられてもよい。
【０１１７】
本実施例のサイコロトレイ中心昇降機構は、図３３、図３４、図４４、図４５、図４７及び図４８に示すように、固定して設けられる昇降ベース１０と、前記昇降ベース１０に縦方向に可動接続される中心昇降棒３２と、中心昇降棒３２の上端に位置するサイコロトレイ３１とを含む。
【０１１８】
これらのうち、好ましくは、前記昇降ベース１０はモータベース４５と一体成形された構造であり、中心昇降棒３２は前記昇降ベース１０の内側に位置し、昇降ベース１０に軸方向に可動接続され、即ち、昇降ベース１０に対して垂直方向に沿って昇降可能であり、サイコロトレイ３１は前記中心昇降棒３２の上端に固定して接続され、中心昇降棒３２の下端には中心昇降ベース３３が設けられる。
【０１１９】
本実施例では、サイコロトレイ中心昇降機構には独立した駆動機構が設けられ、該駆動機構は中心昇降モータ３５と揺動棒３７を含み、揺動棒３７は一端が中心昇降モータ３５の出力軸に固定して接続され、他端に支持端３７が設けられ、該支持端３７は前記中心昇降ベース３３の底部と接触する。
なお、本実施例では、支持端３７は円柱体であってもよく、転動体、例えば軸受けであってもよい。
【０１２０】
図３６、図３７に示すように、本実施例のスクレーパー２１は、可動ベース２１１と、前記可動ベース２１１の外周に配置されるアーム２１２とを含み、該可動ベース２１１の内側には、前記昇降ベース１０の外側に套設されるスリーブ２１７が設けられ、前記スクレーパー２１は前記昇降ベースに回転可能に接続される。
本実施例では、前記可動ベース２１１に第３の伝動ギアリング２１６が設けられ、この第３の伝動ギアリング２１６に退避部２２２が設けられる。
【０１２１】
本実施例では、スクレーパー２１は回転可能に設けられ、具体的には、在前記スクレーパー２１と前記洗牌テーブル１０との間に伝動機構が設けられる。本実施例の特徴として、前記伝動機構は、インナーギアリング１５と噛み合う第３の伝動歯車４３と、前記第３の伝動歯車４３と同軸で同期運動する第４の伝動歯車４４とを含み、前記第４の伝動歯車４４は前記第３の伝動ギアリング２１６と噛み合う。
【０１２２】
本実施例では、洗牌過程においてスクレーパー２１の回転が持続的ではなく、通常、１周回転すると停止する。したがって、第４の伝動歯車４４が退避部２２２まで移動すると、第３の伝動ギアリング２１６と噛み合いを解除し、スクレーパー２１は回転を停止する。
【０１２３】
本実施例では、スクレーパー２１の回転動作の起動と停止を制御するために、特にスクレーパー２１と昇降ベース１０との間に制限構造９０が設けられる。図３３、図３４に示すように、前記昇降ベース１０の一方の側に、制限構造９０を取り付けるための第１の取り付け領域４６が設けられる。
【０１２４】
本実施例の制限構造９０は、図３８〜４３に示すように、制限ベース９１と、前記制限ベース９１にスライド可能に接続されるスライダ９２とを含み、制限ベース９１に対する前記スライダ９２のスライド方向がスリーブ２１７の径方向であり、前記制限ベース９１は昇降ベース１０の第１の取り付け領域４６に固定して取り付けられる。
【０１２５】
本実施例では、前記制限ベース９１の内部には、前記スライダ９２を収容するための摺動キャビティ９１１が設けられ、該摺動キャビティ９１１のうち出口端に近い位置には、前記スライダ９２が該出口端から抜けないように、制限段差９１３が設けられる。
【０１２６】
本実施例では、前記スライダ９２には、前記弾性部材９３を収容するための収容キャビティ９２２が設けられ、本実施例では、前記弾性部材９３は、一端が該収容キャビティ９２２の底部に当接され、他端が昇降ベース１０の第１の取り付け領域４６の側壁に当接される圧縮ばねである。本実施例では、前記弾性部材９３は、前記スライダを径方向において外へスライドさせる弾性ポテンシャルを有する。
【０１２７】
好ましくは、前記収容キャビティ９２２の底部には、弾性部材９３を位置決め、ガイドするための柱状構造９２５が設けられ、該柱状構造９２５の軸方向の長さが弾性部材の構造に応じて自在に選択されてもよく、ここでは制限しない。
【０１２８】
本実施例では、スライダ９２の端部には制限ブロック９２１が設けられ、図３３、図３４に示すように、自由状態では、該制限ブロック９２１は前記制限ベース９１の外側面から突出する。
【０１２９】
本実施例では、スライダ９２と制限ベース９１との間に案内機構が設けられ、好ましくは、本実施例では、前記案内機構は、スライダ９２の外側に設けられる一対のガイドレール９２４と、摺動キャビティ９１１の内側壁に設けられ、前記ガイドレール９２４と嵌合するガイドスロット９１２とを含む。
【０１３０】
本実施例では、前記スライダ９２の底部にガイド部９２３が設けられる。このような場合、中心昇降ベース３３の上部に、前記ガイド部９２３と連携する牽引部３９が設けられ、本実施例では、該牽引部３９は前記スライダ９２を運動駆動する駆動部である。
【０１３１】
好ましくは、本実施例では、牽引部３９には牽引斜面３１０が設けられ、前記ガイド部９２３には、前記牽引斜面３１０と互いに連携するガイド斜面が設けられる。
【０１３２】
なお、本実施例では、２つの構造形態のスクレーパー２１が提案されている。第１の実施形態のスクレーパー２１の構造は、図３６に示すように、前記スリーブ２１７の内壁に軸方向に延伸する止め段差２１９が設けられ、該止め段差２１９は前記制限ブロック９２１を止めるものであり、前記スクレーパー２１に回転を停止させる。この実施形態では、止め段差２１９の頂部から底部までスリーブ２１７の内壁は連続したものである。
【０１３３】
等価な実施形態として、図３７に示すように、前記スリーブ２１７の内壁に、軸方向に延伸する係合溝２１８が設けられ、該係合溝２１８は前記制限ブロック９２１を収容するものであり、前記スクレーパー２１に回転を停止させる。
【０１３４】
本実施例では、好ましい構造レイアウトとして、図３４に示すように、モータベース４５の一方の側には、伝動機構を取り付けるための第２の取り付け領域４７が設けられ、且つ、この第２の取り付け領域４７の位置が第１の取り付け領域４６の位置に対応する。さらに、図３３、図３４、図３８〜図４０に示すように、本実施例では、前記制限ベース９１では、第２の取り付け領域４７に面する側に押さえベース９１４が設けられ、押さえベース９１４と第２の取り付け領域４７のそれぞれに同軸の取り付け孔、同軸で設けられた第３の伝動歯車４３と第４の伝動歯車４４からなる歯車群が設けられ、この歯車群の軸はそれぞれ前記取り付け孔内に取り付けられ、歯車群は押さえベース９１４を介して第２の取り付け領域４７内に固定して取り付けられる。
【０１３５】
上記の特別な構造レイアウトでは、制限構造の制限ベースで伝動機構を固定し、制限構造と伝動機構を同一側とし、且つ制限構造と伝動機構の両方を制限ベースで固定するため、構造がコンパクトになり、集積レベルが高く、レイアウトが合理的であるという技術上の優位性がある。
【０１３６】
図４４〜４６に示す実施例のスクレーパー回転式麻雀卓は、洗牌前の初期状態及び洗牌終了後の状態であり、このような状態では、サイコロトレイ３１は低位置にあり、前記弾性部材９３の弾性ポテンシャルにより、制限ブロック９２１は前記止め段差２１９と接触して連携する。この状態では、第４の伝動歯車４４と第３の伝動ギアリング２１６の退避部２２２は対向する位置にある。
本実施例のスクレーパー回転式麻雀卓の洗牌方法は、以下のステップを含む。
【０１３７】
Ｓ１０：中心昇降モータ３５を起動させて、サイコロトレイ３１を駆動して低位置から高位置に上昇させ、サイコロトレイ３１が高位置になると、図４７〜４９に示すように、牽引部３９による前記ガイド部９２３への牽引によって、スライダ９２は径方向に内へ移動し、前記止め段差２１９（又は係合溝２１８）による制限ブロック９２１への制限を解除し、スクレーパーを回転可能な状態とする。
【０１３８】
Ｓ２０：前記テーブル駆動モータ１３を起動させて、洗牌テーブル１０を回転駆動し、洗牌テーブル１０がアーム２１２との間の摩擦力を通じてスクレーパー２１を駆動して同方向に所定の角度だけ回転させた後、図４９に示すように、制限ブロック９２１は前記止め段差２１９（又は係合溝２１８）の位置を越えて、第３の伝動ギアリング２１６は第４の伝動歯車４４と噛み合うまで回転し、この後、制限ブロック９２１は弾性力の作用によってスリーブ２１７の内壁と接触し、前記洗牌テーブルは伝動機構を介してスクレーパーを洗牌テーブルと同方向に回転駆動し、前記スクレーパーの回転数が前記洗牌テーブルよりも小さい。
【０１３９】
Ｓ３０：中心昇降モータ３５はサイコロトレイを駆動して高位置から低位置に降下させる。
【０１４０】
Ｓ４０：前記スクレーパーが１周回転して制限ブロック９２１と前記止め段差２１９（又は係合溝２１８）の位置が対応すると、前記止め段差２１９（又は係合溝２１８）による阻止作用によって、スクレーパーに回転を停止させ、第４の伝動歯車４４は退避部２２２を介して第３の伝動ギアリング２１６と噛み合いを解除し、前記洗牌テーブルは洗牌終了まで回転し続ける。
【０１４１】
本実施例のスクレーパー回転式麻雀卓では、洗牌テーブルは１つだけのインナーギアリングが設けられ、該インナーギアリングはテーブル駆動装置と接続するとともに、洗牌テーブルとスクレーパーとの間の伝動機構に接続され、洗牌テーブルには、それぞれテーブル駆動装置、伝動機構に接続される２つのインナーギアリングが設けられる従来技術の形態に比べて、洗牌テーブルの構造がより簡素化され、コストがより低くなり、生産効率が高まり、また、洗牌テーブルの軸方向の高低差がより低くなり、それによって、麻雀卓のさらなる薄型化が可能になり、このように、空間を小さくするとともに、麻雀牌の落下時の高低差を減少させ、騒音をより低減させる。
【０１４２】
前記のとおり、以上は本考案の好適な実施例に過ぎず、本考案を制限するものではなく、本考案の趣旨及び原則を逸脱することなく行われる修正、等同置換や改良などであれば、本実用新案登録の範囲に含まれるものとする。
【図１】
0003235014.tif 000003
【図２】
0003235014.tif 000004
【図３】
0003235014.tif 000005
【図４】
0003235014.tif 000006
【図５】
0003235014.tif 000007
【図６】
0003235014.tif 000008
【図７】
0003235014.tif 000009
【図８】
0003235014.tif 000010
【図９】
0003235014.tif 000011
【図１０】
0003235014.tif 000012
【図１１】
0003235014.tif 000013
【図１２】
0003235014.tif 000014
【図１３】
0003235014.tif 000015
【図１４】
0003235014.tif 000016
【図１５】
0003235014.tif 000017
【図１６】
0003235014.tif 000018
【図１７】
0003235014.tif 000019
【図１８】
0003235014.tif 000020
【図１９】
0003235014.tif 000021
【図２０】
0003235014.tif 000022
【図２１】
0003235014.tif 000023
【図２２】
0003235014.tif 000024
【図２３】
0003235014.tif 000025
【図２４】
0003235014.tif 000026
【図２５】
0003235014.tif 000027
【図２６】
0003235014.tif 000028
【図２７】
0003235014.tif 000029
【図２８】
0003235014.tif 000030
【図２９】
0003235014.tif 000031
【図３０】
0003235014.tif 000032
【図３１】
0003235014.tif 000033
【図３２】
0003235014.tif 000034
【図３３】
0003235014.tif 000035
【図３４】
0003235014.tif 000036
【図３５】
0003235014.tif 000037
【図３６】
0003235014.tif 000038
【図３７】
0003235014.tif 000039
【図３８】
0003235014.tif 000040
【図３９】
0003235014.tif 000041
【図４０】
0003235014.tif 000042
【図４１】
0003235014.tif 000043
【図４２】
0003235014.tif 000044
【図４３】
0003235014.tif 000045
【図４４】
0003235014.tif 000046
【図４５】
0003235014.tif 000047
【図４６】
0003235014.tif 000048
【図４７】
0003235014.tif 000049
【図４８】
0003235014.tif 000050
【図４９】
0003235014.tif 000051